(57)【要約】【課題】排水トラップや排水管内部の汚濁物質の付着やぬめりを防止して管詰まりを発生させる事が無く、常に洗浄された状態を維持できる排水トラップを提供することを課題とする。【解決手段】排水機器１の排水口２に接続される排水流入口３及び排水流出口４を備えたＵ字形をなす排水トラップにおいて、排水流入口３の口径を一端縮径させ縮径部６の下流で経路を拡径し排水流出口４まで拡径して構成し、また排水流入口３の封水面９より上流、若しくは下流の一部に排水の一部を貯留する貯水槽１０を構成し、またＵ字形の排水トラップ５の底部から両側部にかけて清掃用溝部１１を構成させて排水流入口３を排水トラップ５に対して偏芯させ、偏芯した排水流入口３からの排水が清掃用溝部１１に向かって流入すること、前記貯水槽１０を水道水と連結させて貯水槽１０から排水流出口４までの経路に排水弁１３を構成したこと。【選択図】  図１
2006316472.tif 000002
【特許請求の範囲】
【請求項１】
排水機器１の排水口２に接続される排水流入口３及び排水流出口４を備えたＵ字形をなす排水トラップにおいて、
排水流入口３の口径を一端縮径するとともに縮径部６の下流で経路を拡径して排水流出口４まで拡径したまま構成したことを特徴とする排水トラップ。
【請求項２】
排水機器１の排水口２に接続される排水流入口３及び排水流出口４を備えたＵ字形をなす排水トラップにおいて、
排水流入口３の封水面９より上流、若しくは封水面９より下流の一部に排水の一部を貯留する貯水槽１０を構成したことを特徴とする排水トラップ。
【請求項３】
排水機器１の排水口２に接続される排水流入口３及び排水流出口４を備えたＵ字形をなす排水トラップにおいて、
Ｕ字形の排水トラップ５の底部から両側部にかけて清掃用溝部１１を構成すると共に、排水流入口３を排水トラップ５に対して偏芯させ、偏芯した排水流入口３からの排水が清掃用溝部１１に向かって流入することを特徴とする排水トラップ。
【請求項４】
前記排水トラップにおいて、
前記貯水槽１０を、水道水と連結すると共に、貯水槽１０から排水流出口４までの経路に排水弁１３を構成したことを特徴とする請求項２に記載の排水トラップ。
【発明の詳細な説明】
【技術分野】
【０００１】
本発明は、Ｕ字形の排水トラップにおける、排水トラップ管内の自掃構造におけるものである。
【背景技術】
【０００２】
図７に示したように、従来より、台所や洗面ボウルなどの排水管に用いられる排水トラップがある。
以下に、従来例を図７を参照しつつ説明する。
本従来例は、以下に記載する、洗面台や流し台などの排水機器、排水口、排水トラップ、排水流入口、排水流出口、配管部、から成る。
排水機器は、前記したように、例えば流し台や洗面ボウルなどの槽体を示し、排水が発生する機器に構成される。
排水口は、排水機器の底部に構成される開口であって、排水機器に発生した排水を下水へと排水するための開口である。
排水トラップは、管体をＵ字形に屈曲させて構成してなり、Ｕ字形部分に封水部と呼ばれる排水の貯留する部分を備え、当該封水部によって、下水からの臭気や害虫の逆流を防止するための構成としている。また、当該封水部には封水の封水面が構成される。
排水流入口は、前記排水トラップに構成され、排水口からの排水が排水トラップ内部へと流入する開口である。
排水流出口は、排水トラップ内部の排水が下水側へと排出するための排出口であって、後記する配管部に接続される。
配管部は、排水トラップの排水排出口に接続される管体からなる排水管であって、最終的には下水へと排水されるように配管される。
【０００３】
前記従来例の排水トラップに排水が発生した場合、以下のように排水が流れる。
排水機器に排水が発生すると、排水口から排水が排水トラップ側へ流入する。排水口からの排水は、排水トラップの排水流入口から排水トラップ内へ流入し、排水トラップ内部の封水部を通過し、排水トラップの排水流出口から排水が流出され、最終的に配管部に排水され、下水管へと排水されるように構成される。
【０００４】
【特許文献１】特開２０００−２１３０２４号公報（図１、図２）
【発明の開示】
【発明が解決しようとする課題】
【０００５】
しかしながら、従来の排水配管の清掃口構造は、以下のような問題点があった。
このような従来の排水トラップにおいては、排水中に存在する厨芥や油などから、排水管内部に菌が繁殖してぬめりが発生したり、封水中の厨芥等の浮遊物が排水トラップ管内の内周面に付着して排水トラップの管詰まり等が多々発生する。また、特に樹脂製の排水トラップ（又は排水管）内周面には金属製の排水トラップ（又は排水管）と比較して汚濁物質が付着しやすい。
このようなぬめりや汚濁物質は、排水トラップや排水管内部の管詰まりを発生させる事が多く、悪臭の原因などとなり、使用者にとって非常に不潔に感じられることがあった。
【０００６】
本願発明の排水トラップは、排水トラップや排水管内部の汚濁物質の付着やぬめりを防止して管詰まりを発生させる事が無く、常に洗浄された状態を維持できる排水トラップを提供することを目的とする。
【課題を解決するための手段】
【０００７】
請求項１に記載の排水トラップは、排水機器１の排水口２に接続される排水流入口３及び排水流出口４を備えたＵ字形をなす排水トラップにおいて、排水流入口３の口径を一端縮径するとともに縮径部６の下流で経路を拡径して排水流出口４まで拡径したまま構成したことを特徴とする排水トラップである。
【０００８】
請求項２に記載の排水トラップは、排水機器１の排水口２に接続される排水流入口３及び排水流出口４を備えたＵ字形をなす排水トラップにおいて、排水流入口３の封水面９より上流、若しくは封水面９より下流の一部に排水の一部を貯留する貯水槽１０を構成したことを特徴とする排水トラップである。
【０００９】
請求項３に記載の排水トラップは、排水機器１の排水口２に接続される排水流入口３及び排水流出口４を備えたＵ字形をなす排水トラップにおいて、Ｕ字形の排水トラップ５の底部から両側部にかけて清掃用溝部１１を構成すると共に、排水流入口３を排水トラップ５に対して偏芯させ、偏芯した排水流入口３からの排水が清掃用溝部１１に向かって流入することを特徴とする排水トラップである。
【００１０】
請求項４に記載の排水トラップは、前記排水トラップにおいて、前記貯水槽１０を、水道水と連結すると共に、貯水槽１０から排水流出口４までの経路に排水弁１３を構成したことを特徴とする前記段落０００８に記載の排水トラップである。
【発明の効果】
【００１１】
本発明は上記のように構成したため、以下のような優れた効果を奏する。
１）請求項１に記載の本発明によると、排水流入口３の口径を一端縮径するとともに縮径部６の下流で経路を拡径して排水流出口４まで拡径したまま構成したことから、通常の排水時に縮径部６により排水が一旦引き込まれるサイホン効果が発生し、排水のサイホン効果により排水トラップ５内の封水が勢いよく下流へと排水されるので、封水中の汚濁物質や厨芥も同時に下流へと排水される為、排水トラップ５内部に汚濁物質やぬめりが付着することがない。従って、排水トラップ５及び排水管内を常に清浄に保つことができる。
２）請求項２に記載の本発明によると、排水流入口３の封水面９より上流、若しくは封水面９より下流の一部に排水の一部を貯留する貯水槽１０を構成したことから、排水を行った際に貯留槽に排水を一旦貯留させておくことができ、更に排水を行うと貯留槽からも排水が排水されて、排水トラップ５内部にサイホン効果が発生しやすい状況となり、排水のサイホン効果により排水トラップ５内の封水が勢いよく下流へと排水されるので、封水中の汚濁物質や厨芥も同時に下流へと排水される為、排水トラップ５内部に汚濁物質やぬめりが付着することがない。従って、排水トラップ５及び排水管内を常に清浄に保つことができる。
３）請求項３に記載の本発明によると、Ｕ字形の排水トラップ５の底部から両側部にかけて清掃用溝部１１を構成すると共に、排水流入口３を排水トラップ５に対して偏芯させ、偏芯した排水流入口３からの排水が清掃用溝部１１に向かって流入することを特徴とする排水トラップ５としたことから、封水部８中の汚濁物質や厨芥等は、封水に浮遊するか、もしくは封水底部の清掃用溝部１１に堆積する。そして、排水が発生された際に、排水は、偏芯部１２で排水が一方に偏るとともに勢いが増し、その排水が排水トラップ５の清掃用溝部１１に勢いよく流れ込むことから、封水底部の清掃用溝部１１に堆積していた排水ゴミや厨芥は排水の勢いの増した流下に伴い、清掃用溝部１１に沿うように下流側へ排水される。従って、排水トラップ５及び排水管内を常に清浄に保つことができる。
４）請求項４に記載の本発明によると、前記貯水槽１０を、水道水と連結すると共に、貯水槽１０から排水流出口４までの経路に排水弁１３を構成したことから、排水量が少なくて充分に貯水槽１０に排水が貯留されなくても、水道水を貯水槽１０に貯留させることができる。また、排水経路中に弁を構成したことで、弁を開閉させることで封水部８の排水を自在にサイホン効果を発生させたりさせなかったりさせることができる。
【実施例】
【００１２】
本発明の第１実施例を、図面を参照しつつ説明する。
図１に示したように、台所や洗面ボウルなどの排水管に用いられる排水トラップ５がある。
本実施例は、以下に記載する、洗面台や流し台などの排水機器１、排水口２、排水トラップ５、排水流入口３、排水流出口４、配管部、から成る。
排水機器１は、前記したように、例えば図３や図６に示すような流し台や洗面ボウルなどの槽体を示し、排水が発生する機器に構成される。
排水口２は、排水機器１の底部に構成される開口であって、排水機器１に発生した排水を下水へと排水するための開口である。
排水トラップ５は、管体をＵ字形に屈曲させて構成してなり、Ｕ字形部分に封水部８と呼ばれる排水の貯留する部分を備え、当該封水部８によって、下水からの臭気や害虫の逆流を防止するための構成としている。また、当該封水部８には封水面９が構成される。
排水流入口３は、前記排水トラップ５に構成され、排水口２からの排水が排水トラップ５内部へと流入する開口である。なお、当該排水流入口３の口径を一端縮径する縮径部６を構成するとともに、縮径部６の下流で経路を拡径して構成する拡径部７を、後記する排水流出口４まで構成する。
排水流出口４は、排水トラップ５内部の排水が下水側へと排出するための排出口であって、後記する配管部に接続され、前記した排水流入口３の拡径部７の口径のまま構成される。
配管部は、排水トラップ５の排水排出口に接続される管体からなる排水管であって、最終的には下水へと排水されるように配管される。
【００１３】
本実施例の排水トラップ５に排水が発生した場合、以下のように排水が流れる。
排水機器１に排水が発生すると、排水口２から排水が排水トラップ５側へ流入する。排水口２からの排水は、排水トラップ５の排水流入口３から排水トラップ５内へ流入し、排水トラップ５内部の封水部８を通過し、排水トラップ５の排水流出口４から排水が流出され、最終的に配管部に排水され、下水管へと排水されるように構成される。このとき、排水流入口３の縮径部６から拡径部７を構成したことで、通常の排水時に縮径部６により排水が引き込まれるサイホン効果が発生し、このサイホン効果により排水トラップ５内の封水が勢いよく下流へと排水される。封水中の汚濁物質や厨芥もこの勢いに引き込まれて同時に下流へと排水される為、排水トラップ５内部に汚濁物質やぬめりが付着することがない。従って、排水トラップ５及び排水管内を常に清浄に保つことができる。
【００１４】
次に、本発明の第２実施例を、図面を参照しつつ説明する。
図２に示したように、台所や洗面ボウルなどの排水管に用いられる排水トラップ５がある。
本実施例は、以下に記載する、洗面台や流し台などの排水機器１、排水口２、排水トラップ５、排水流入口３、排水流出口４、配管部、から成る。
排水機器１は、前記したように、例えば図３や図６に示すような洗面ボウルや流し台などの槽体を示し、排水が発生する機器に構成される。
排水口２は、排水機器１の底部に構成される開口であって、排水機器１に発生した排水を下水へと排水するための開口である。
排水トラップ５は、管体をＵ字形に屈曲させて構成してなり、Ｕ字形部分に封水部８と呼ばれる排水の貯留する部分を備え、当該封水部８によって、下水からの臭気や害虫の逆流を防止するための構成としている。また、封水部８の頂部には封水面９を備える。
排水流入口３は、前記排水トラップ５に構成され、排水口２からの排水が排水トラップ５内部へと流入する開口である。
なお、排水流入口３の封水面９より上流に、排水の一部を貯留する貯水槽１０を構成している。
当該貯水槽１０は、排水流入口３から側面方向に突出して構成され、内部に排水の一部を貯水するとともに、貯水した排水は以後の排水時に一気に排水させることが可能である。
排水流出口４は、排水トラップ５内部の排水が下水側へと排出するための排出口であって、後記する配管部に接続されて構成される。
配管部は、排水トラップ５の排水排出口に接続される管体からなる排水管であって、最終的には下水へと排水されるように配管される。
【００１５】
本実施例の排水トラップ５に排水が発生した場合、以下のように排水が流れる。
排水機器１に排水が発生すると、排水口２から排水が排水トラップ５側へ流入する。排水口２からの排水は、排水トラップ５の排水流入口３から排水トラップ５内へ流入し、排水トラップ５内部の封水部８を通過し、排水トラップ５の排水流出口４から流出され、最終的に配管部から下水管へと排水されるように構成される。このとき、排水流入口３の封水面９より上流、若しくは封水面９より下流の一部に排水の一部を貯留する貯水槽１０を構成したことから、排水を行った際に貯留槽に排水を一旦貯留させておくことができ、更に排水を行うと貯留槽からも排水が排水されて、排水トラップ５内部にサイホン効果が発生しやすい状況となり、排水のサイホン効果により排水トラップ５内の封水が勢いよく下流へと排水されるので、封水中の汚濁物質や厨芥も同時に下流へと排水される為、排水トラップ５内部に汚濁物質やぬめりが付着することがない。従って、排水トラップ５及び排水管内を常に清浄に保つことができる。
【００１６】
本発明の第３実施例を、図面を参照しつつ説明する。
図３乃至図５に示したように、台所や洗面ボウルなどの排水管に用いられる排水トラップ５がある。
本実施例は、以下に記載する洗面台や流し台などの排水機器１、排水口２、排水トラップ５、排水流入口３、排水流出口４、配管部、から成る。
排水機器１は、前記したように、例えば図３や図６に示した流し台や洗面ボウルなどの槽体を示し、排水が発生する機器に構成される。
排水口２は、排水機器１の底部に構成される開口であって、排水機器１に発生した排水を下水へと排水するための開口である。
排水トラップ５は、図４又は図５に示したように管体をＵ字形に屈曲させて構成してなり、Ｕ字形部分に封水部８と呼ばれる排水の貯留する部分を備え、当該封水部８によって、下水からの臭気や害虫の逆流を防止するための構成としている。尚、排水トラップ５の封水部８底部には、排水中のゴミや厨芥を一カ所に堆積させるための清掃用溝部１１を構成している。この清掃用溝部１１は、封水部８底部からＵ字形排水トラップ５の両側部へ沿って構成される。また、封水部８の最頂部を封水面９として備える。
排水流入口３は、前記排水トラップ５に構成され、排水口２からの排水が排水トラップ５内部へと流入する開口である。なお、当該排水流入口３は、排水トラップ５の清掃用溝部１１に対して向かうように偏芯して偏芯部１２として構成される。このような構成としたので、排水流入口３に流れ込んだ排水は排水流入口３の偏芯部１２により清掃用溝部１１に集水されるように排水されるし、排水方向に対して勢いがつく形で排水されるので、その流下した排水は封水部８の清掃用溝部１１に流れ込むことができる。
【００１７】
本実施例の排水トラップ５に排水が発生した場合、以下のように排水が流れる。
排水機器１に排水が発生すると、排水口２から排水が排水トラップ５側へ流入する。排水口２からの排水は、排水トラップ５の排水流入口３から排水トラップ５内へ流入し、排水トラップ５内部の封水部８を通過し、排水トラップ５の排水流出口４から排水が流出され、最終的に配管部に排水され、下水管へと排水されるように構成される。このとき、Ｕ字形の排水トラップ５の底部から両側部にかけて清掃用溝部１１を構成すると共に、排水流入口３を排水トラップ５に対して偏芯させ、偏芯した排水流入口３からの排水が勢いよく清掃用溝部１１に流入することを特徴とする排水トラップ５としたことから、封水部８中の汚濁物質や厨芥等は、封水に浮遊するか、もしくは封水底部の清掃用溝部１１に堆積することができ、排水が発生した際に、排水は、偏芯部１２で排水が一方に偏るとともに勢いが増し、その排水が排水トラップ５の清掃用溝部１１に勢いよく流れ込むことから、封水底部の清掃用溝部１１に堆積していた排水ゴミや厨芥は排水の勢いの増した流下に伴い、清掃用溝部１１に沿うように下流側へ排水される。従って、排水トラップ５及び排水管内を常に清浄に保つことができる。
【００１８】
次に、本発明の第４実施例を、図面を参照しつつ説明する。
図６に示したように、台所や洗面ボウルなどの排水管に用いられる排水トラップ５がある。
本実施例は、以下に記載する、洗面台や流し台などの排水機器１、排水口２、排水トラップ５、排水流入口３、排水流出口４、配管部、から成る。
排水機器１は、前記したように、図３や図６に示したように例えば流し台や洗面ボウルなどの槽体を示し、排水が発生する機器に構成される。当該実施例では洗面ボウルに取り付けられており、当然ではあるが洗面ボウルには水道の蛇口１５が備え付けられ、当該蛇口１５には水道管１４が接続される。
排水口２は、排水機器１の底部に構成される開口であって、排水機器１に発生した排水を下水へと排水するための開口である。
排水トラップ５は、管体をＵ字形に屈曲させて構成してなり、Ｕ字形部分に封水部８と呼ばれる排水の貯留する部分を備え、当該封水部８によって、下水からの臭気や害虫の逆流を防止するための構成としている。なお、封水部８の最頂部を封水面９として備える。
排水流入口３は、前記排水トラップ５に構成され、排水口２からの排水が排水トラップ５内部へと流入する開口である。
なお、排水流入口３の封水面９より上流に、排水の一部を貯留する貯水槽１０を構成している。
当該貯水槽１０は、排水流入口３から側面方向に突出して構成され、内部に排水の一部を貯水するとともに、貯水した排水は以後の排水時に一気に排水させることが可能である。
また、貯水槽１０には前記蛇口１５の水道管１４から分岐して構成される水道管１４が水密的に接続され、また、その水道管１４には水道水を止水又は通水させるための排水弁１３を構成し、当該排水弁１３を操作するのみで水道水の通水・止水を操作することが出来る。
排水流出口４は、排水トラップ５内部の排水が下水側へと排出するための排出口であって、後記する配管部に接続されて構成される。
配管部は、排水トラップ５の排水排出口に接続される管体からなる排水管であって、最終的には下水へと排水されるように配管される。
【００１９】
本実施例の排水トラップ５に排水が発生した場合、以下のように排水が流れる。
排水機器１に排水が発生すると、排水口２から排水が排水トラップ５側へ流入する。排水口２からの排水は、排水トラップ５の排水流入口３から排水トラップ５内へ流入し、排水トラップ５内部の封水部８を通過し、排水トラップ５の排水流出口４から流出され、最終的に配管部から下水管へと排水されるように構成される。このとき、排水流入口３の封水面９より上流、若しくは封水面９より下流の一部に排水の一部を貯留する貯水槽１０を構成したことから、排水を行った際に貯留槽に排水を一旦貯留させておくことができ、更に排水を行うと貯留槽からも排水が排水されて、排水トラップ５内部にサイホン効果が発生しやすい状況となり、排水のサイホン効果により排水トラップ５内の封水が勢いよく下流へと排水されるので、封水中の汚濁物質や厨芥も同時に下流へと排水される為、排水トラップ５内部に汚濁物質やぬめりが付着することがない。従って、排水トラップ５及び排水管内を常に清浄に保つことができる。
また、貯水槽１０の水道管１４には排水弁１３を構成しているから、排水弁１３を操作するだけで貯水槽１０内に水道水を貯水させることが出来る。このようにすることで、排水時の貯水槽１０への貯水が不足した場合に排水弁１３を操作するのみで水道管１４から水道水を貯水槽１０へ貯水することが出来る。
【００２０】
また、本発明は上記実施例に限定されるものではなく、特許請求の範囲に記載の範囲において適宜変更は可能である。
例えば、前記実施例では、排水弁１３を手動操作としているが、センサーなどにより自動制御する構成としても良い。
また、前記実施例では貯水槽１０を封水面９より上流に接続しているが、封水面９より下流に貯水槽１０を接続しても良い。
また、排水弁の形状については特に問わない。水道水を通水／止水できる構成であればその形状を特に問わない。
【図面の簡単な説明】
【００２１】
【図１】本発明の第１実施例を示す断面図である。
【図２】本発明の第２実施例を示す断面図である。
【図３】本発明の第３実施例を示す断面図である。
【図４】本発明の第３実施例の排水トラップを示す部分拡大断面図である。
【図５】本発明の第３実施例の排水トラップを示す部分拡大斜視図である。
【図６】本発明の第４実施例を示す断面図である。
【図７】従来例を示す断面図である。
【符号の説明】
【００２２】
１    排水機器
２    排水口
３    排水流入口
４    排水流出口
５    排水トラップ
６    縮径部
７    拡径部
８    封水部
９    封水面
１０  貯水槽
１１  清掃用溝部
１２  偏芯部
１３  排水弁
１４  水道管
１５  蛇口
【図１】
2006316472.tif 000003
【図２】
2006316472.tif 000004
【図３】
2006316472.tif 000005
【図４】
2006316472.tif 000006
【図５】
2006316472.tif 000007
【図６】
2006316472.tif 000008
【図７】
2006316472.tif 000009